(57)【要約】【課題】  ボス部や係合部を複数形成することなく、複数回の封印を可能にすると共に、予備ネジや予備ネジ収納部を不要にして、ケース構造を簡略化する。【解決手段】  制御基板ケース１の封印部４は、カバー３に形成されるボス部３ｅと、ベース２に形成される係合部２ｄと、ボス部３ｅにねじ込まれ、その先端部が係合部２ｄに係合することにより、カバー３の開放を封印する封印ネジ５とを備え、さらに、封印ネジ５は、複数の切断予定部５ｂを介して連結される複数のネジ部５ａを備え、先端ネジ部５ａの切離しにより封印を開封し、残ったネジ部５ａのねじ込みにより再封印を行うように構成される。【選択図】        図１２
2005218468.tif 000002
【特許請求の範囲】
【請求項１】
遊技機用の制御基板を収納するベースと、該ベースに収納された前記制御基板を覆蓋する開閉自在なカバーと、該カバーの開放を封印し、この封印が開封されたとき、その痕跡を残す封印部とを備える遊技機用制御基板ケースであって、
前記封印部は、前記ベース又は前記カバーのいずれか一方に形成されるボス部と、前記ベース又は前記カバーのいずれか他方に形成される係合部と、前記ボス部にねじ込まれ、その先端部が前記係合部に係合することにより、前記カバーの開放を封印する封印ネジとを備え、さらに、前記封印ネジは、複数の切断予定部を介して連結される複数のネジ部を備え、先端ネジ部の切離しにより封印を開封し、残ったネジ部のねじ込みにより再封印を行うことを特徴とする遊技機用制御基板ケース。
【請求項２】
前記封印ネジの頭部には、ねじ込み方向への回し操作のみを許容するねじ込み操作溝が形成されることを特徴とする請求項１記載の遊技機用制御基板ケース。
【請求項３】
前記ボス部は、少なくとも内周の一部にネジ溝を有し、かつ、ねじ込まれた前記封印ネジを透視可能に形成され、さらに、前記ボス部の周面又はその近傍には、前記封印ネジの頭部位置と封印回数の関係を示す文字が付されていることを特徴とする請求項１又は２記載の遊技機用制御基板ケース。
【請求項４】
前記ボス部のねじ込み口には、既にねじ込まれた前記封印ネジの回し操作を許容しつつ、新たな前記封印ネジのねじ込みを禁止するねじ込み禁止部材が設けられることを特徴とする請求項１〜３のいずれかに記載の遊技機用制御基板ケース。
【請求項５】
前記係合部又はその近傍には、前記封印ネジが先端側で回し操作されることを禁止する先端操作禁止部が設けられることを特徴とする請求項１〜４のいずれかに記載の遊技機用制御基板ケース。
【請求項６】
前記ボス部は、前記制御基板の面方向を向いて形成されることを特徴とする請求項１〜５のいずれかに記載の遊技機用制御基板ケース。
【発明の詳細な説明】
【技術分野】
【０００１】
本発明は、パチンコ機やスロットマシンに設けられる遊技機用制御基板ケースに関し、詳しくは、遊技機用制御基板ケースの封印構造に関する。
【背景技術】
【０００２】
遊技機の制御基板を収納する制御基板ケースとして、封印部を備えるものが知られている（例えば、特許文献１、２参照）。この種の封印部は、制御基板ケースの開放を封印し、この封印が開封されたとき、その痕跡を残すように構成されているため、制御基板に対する不正な細工を防ぐ効果がある。
【０００３】
特許文献１、２に示される制御基板ケースの封印部は、制御基板ケースを構成するベース又はカバーのいずれか一方に形成されるボス部と、ベース又はカバーのいずれか他方に形成される係合部と、ボス部にねじ込まれ、その先端部が係合部に係合することにより、カバーの開放を封印する封印ネジ（特殊ネジ）とを備えて構成されている。
【０００４】
封印ネジは、係合部に一度係合すると、抜き取り操作が規制されるようにしてある。例えば、特許文献１では、封印ネジの頭部に、ねじ込み方向への回し操作のみを許容するねじ込み操作溝を形成して、封印ネジの抜き取り操作を規制している。また、特許文献２では、係合部に設けられるストッパ部材で封印ネジの先端部を係止することにより、封印ネジの抜き取り操作を規制している。これにより、封印ネジの抜き取りによる不正な開封が防止される。
【特許文献１】特許第３２６１０８４号公報
【特許文献２】特開平１１−３３１９２号公報
【発明の開示】
【発明が解決しようとする課題】
【０００５】
ところで、上記のような制御基板ケースにおいては、封印を複数回（例えば４回）できるようにすることが要求されている。これは、基板検査などに際して封印部を開封した場合、その後に再封印を行う必要があるからである。
【０００６】
しかしながら、特許文献１、２に示されるものでは、ボス部とカバー（又はベース）を連結する切断予定部の切断により開封を行い、切断予定部の切断跡を開封の痕跡として残すように構成されているため、複数回の封印を可能にするには、その数だけボス部及び係合部が必要になり、ケース形状の複雑化やコストアップを招来するという問題がある。
【０００７】
また、従来のものでは、一度使用した封印ネジを次回の封印に使用することができないため、予備ネジを用意する必要がある。その結果、部品点数が増加するだけでなく、予備ネジの収納部を必要とし、ケース形状が一層複雑になるという問題がある。
【課題を解決するための手段】
【０００８】
本発明は、上記の如き実情に鑑みこれらの課題を解決することを目的として創作されたものであって、遊技機用の制御基板を収納するベースと、該ベースに収納された前記制御基板を覆蓋する開閉自在なカバーと、該カバーの開放を封印し、この封印が開封されたとき、その痕跡を残す封印部とを備える遊技機用制御基板ケースであって、前記封印部は、前記ベース又は前記カバーのいずれか一方に形成されるボス部と、前記ベース又は前記カバーのいずれか他方に形成される係合部と、前記ボス部にねじ込まれ、その先端部が前記係合部に係合することにより、前記カバーの開放を封印する封印ネジとを備え、さらに、前記封印ネジは、複数の切断予定部を介して連結される複数のネジ部を備え、先端ネジ部の切離しにより封印を開封し、残ったネジ部のねじ込みにより再封印を行うことを特徴とする。このように構成すると、ボス部や係合部を複数形成することなく、複数回の封印を行うことが可能になる。これにより、ケース構造を簡略化し、制御基板ケースのコストダウンを図ることができる。しかも、予備ネジが不要であるため、部品点数の削減が可能になると共に、予備ネジの収納部を不要にしてケース構造をさらに簡略化することができる。
また、前記封印ネジの頭部には、ねじ込み方向への回し操作のみを許容するねじ込み操作溝が形成されることを特徴とする。このように構成すると、封印ネジにねじ込み操作溝を形成するだけで、封印ネジの不正な抜き取り操作を防止することができる。
また、前記ボス部は、少なくとも内周の一部にネジ溝を有し、かつ、ねじ込まれた前記封印ネジを透視可能に形成され、さらに、前記ボス部の周面又はその近傍には、前記封印ネジの頭部位置と封印回数の関係を示す文字が付されていることを特徴とする。このように構成すると、一つのボス部を目視するだけで、封印回数を簡単に確認することが可能になる。
また、前記ボス部のねじ込み口には、既にねじ込まれた前記封印ネジの回し操作を許容しつつ、新たな前記封印ネジのねじ込みを禁止するねじ込み禁止部材が設けられることを特徴とする。このように構成すると、既にねじ込まれた封印ネジをねじ込み方向に回してボス部から抜き取った後、別途用意した新たな封印ネジをボス部にねじ込んで封印回数を偽装するという不正行為を防止することができる。
また、前記係合部又はその近傍には、前記封印ネジが先端側で回し操作されることを禁止する先端操作禁止部が設けられることを特徴とする。このように構成すると、ボス部にねじ込まれた封印ネジを先端側で回し操作し、痕跡を残すことなく封印部を開封するという不正行為を防止することができる。
また、前記ボス部は、前記制御基板の面方向を向いて形成されることを特徴とする。このように構成すると、封印ネジのねじ込み作業、切断予定部の切断作業、封印回数の確認作業などが容易になるだけでなく、封印部を制御基板ケースの厚さ範囲に納めて、制御基板ケースの大型化を回避することができる。
【発明の効果】
【０００９】
上記のように構成された本発明の遊技機用制御基板ケースによれば、ボス部や係合部を複数形成することなく、複数回の封印を行うことが可能になるだけでなく、予備ネジやその収納部を不要にできる。これにより、ケース構造の簡略化や部品点数の削減を図り、制御基板ケースのコストダウンが可能になる。
【発明を実施するための最良の形態】
【００１０】
次に、本発明の実施形態を図面に基づいて説明する。図１及び図２において、１は遊技機の制御基板（図示せず）を収納する制御基板ケースであって、該制御基板ケース１は、制御基板を収納するベース２と、該ベース２に収納された制御基板を覆蓋する開閉自在なカバー３と、該カバー３の開放を封印し、この封印が開封されたとき、その痕跡を残す封印部４とを備えて構成されている。尚、本実施形態の制御基板ケース１は、図１に示す面を正面とし、縦姿勢で遊技機に組付けられるものとする。
【００１１】
図３〜図６に示す本実施形態のベース２は、透明な樹脂で一体成形されており、その正面部に制御基板が収納される。ベース２の上辺及び下辺には、前方に突出する複数のフック部２ａがそれぞれ形成され、また、左辺には、外側方へ突出する係合凸部２ｂが形成され、さらに、右辺には、外測方へ突出する複数の係合凹部２ｃが形成されている。
【００１２】
図７〜図１０に示す本実施形態のカバー３は、ベース２に収納された制御基板を覆蓋するように、透明な樹脂で一体成形されている。カバー３の上辺及び下辺には、後方に開口するガイド溝３ａが形成され、また、左辺には、外側方へ突出する係合凹部３ｂが形成され、さらに、右辺には、外側方へ突出する複数の係合凸部３ｃが形成されている。
【００１３】
つまり、ベース２に収納された制御基板をカバー３で覆蓋する場合は、ベース２のフック部２ａがカバー３のガイド溝３ａに入り込むように、カバー３をベース２の重ね合わせ、その後、カバー３を右方向にスライドさせる。これにより、ガイド溝３ａ内に形成される突起３ｄがフック部２ａに係合すると共に、係合凸部２ｂ、３ｃが係合凹部３ｂ、２ｃに係合し、カバー３が閉鎖状態となる。また、カバー３の開放は、上記と逆の手順で行われる。
【００１４】
封印部４は、カバー３の下辺に一体的に突出形成されるボス部３ｅと、ベース２の下辺に一体的に突出形成される係合部２ｄと、ボス部３ｅにねじ込まれ、その先端部が係合部２ｄに係合することにより、カバー３の開放を封印する封印ネジ５と、既にねじ込まれた封印ネジ５の回し操作を許容しつつ、新たな封印ネジ５のねじ込みを禁止するねじ込み禁止部材６とを備えて構成されている。
【００１５】
図１１に示すように、封印ネジ５は、複数のネジ部５ａと、ネジ部５ａ同士を一体的に連結する複数の切断予定部５ｂとを備える。切断予定部５ｂの数は、封印部４の封印可能回数（例えば４回）に対応し、ネジ部５ａの数は、封印可能回数に１を加えた数に対応している。ネジ部５ａ及び切断予定部５ｂは、樹脂で一体成形されており、切断予定部５ｂは、工具（ニッパなど）などで容易に切断できるように小径となっている。また、封印ネジ５の頭部には、封印ネジ５を工具（マイナスドライバなど）でねじ込み操作するためのねじ込み操作溝５ｃが形成されている。このねじ込み操作溝５ｃは、ねじ込み方向に回し操作された場合、封印ネジ５を工具と一体的に回転させ、封印ネジ５のねじ込みを許容するが、抜き取り方向に回し操作された場合には、封印ネジ５に対して工具を滑らせることにより、封印ネジ５の抜き取りを禁止するように溝形状が設定されている。
【００１６】
ボス部３ｅは、少なくとも内周の一部にネジ溝３ｆを有し、かつ、ねじ込まれた封印ネジ５を透視可能に形成されている。本実施形態では、制御基板の面方向を向くようにボス部３ｅを形成し、その左端に形成されるねじ込み口３ｇから封印ネジ５のねじ込みを許容するようにしてある。また、ボス部３ｅの周面又はその近傍には、封印ネジ５の頭部位置と封印回数の関係を示す文字が付されている。尚、ネジ溝３ｆは、ボス部３ｅに一体形成してもよいし、ナットを埋め込んで形成してもよい。
【００１７】
ねじ込み禁止部材６は、封印ネジ５をボス部３ｅにねじ込んだ後、ボス部３ｅのねじ込み口３ｇに接着などによって固着される。本実施形態では、封印ネジ５の最大径よりも小さく、かつ、工具差し込み部の径よりも大きい孔を有するリング部材でねじ込み禁止部材６を構成しているが、既にねじ込まれた封印ネジ５の回し操作を許容しつつ、新たな封印ネジ５のねじ込みを禁止するものであれば、。ねじ込み禁止部材６の形状は限定されない。
【００１８】
係合部２ｄは、左右方向を向く係合孔２ｅを有しており、その内周には、ネジ溝２ｆが形成されている。ボス部３ｅと係合部２ｄが突当てられた状態（カバー閉鎖状態）で、ボス部３ｅのねじ込み口３ｇから封印ネジ５をねじ込むと、封印ネジ５の先端側ネジ部５ａは、係合部２ｄの係合孔２ｅに螺入した後、係合孔２ｅを突き抜ける。この状態では、先端側ネジ部５ａが係合孔２ｅのネジ溝２ｆによって抜止めされるため、カバー３の開放方向のスライドが規制され、カバー３の開放が封印される。この封印を開封する場合は、係合部２ｄに形成される切断用穴２ｇからニッパなどの切断工具を差し込み、封印ネジ５の先端側切断予定部５ｂを切断する。先端側切断予定部５ｂを切断すると、先端側ネジ部５ａが分離されるため、係合部２ｄによる封印ネジ５の抜止めが解除され、カバー３の開放方向のスライドが許容される。尚、ネジ溝２ｆは、係合部２ｄに一体形成してもよいし、ナットを埋め込んで形成してもよい。
【００１９】
また、係合部２ｄ又はその近傍には、封印状態において封印ネジ５の先端側ネジ部５ａを囲み、封印ネジ５が先端側で回し操作されることを禁止する先端操作禁止部２ｈが形成されている。これにより、ボス部３ｅにねじ込まれた封印ネジ５を先端側で回し操作して、痕跡を残すことなく封印部４を開封するという不正行為が防止される。
【００２０】
次に、制御基板ケース１の封印手順、開封手順及び再封印手順について、図１２を参照して説明する。制御基板ケース１の第一回目の封印を行う場合は、まず、前述した手順でカバー３を閉鎖状態とし、ボス部３ｅを係合部２ｄに突当てる。次に、ボス部３ｅのねじ込み口３ｇから封印ネジ５をねじ込み、封印ネジ５の先端側ネジ部５ａを係合部２ｄに係合させる。その後、ボス部３ｅのねじ込み口３ｇにねじ込み禁止部材６を固着すると、第一回目の封印が完了する（図１２の（Ａ）参照）。この状態では、封印ネジ５の頭部がボス部３ｅに付された文字「１」の位置にあり、第一回目の封印であることを容易に確認できる。
【００２１】
上記の封印を開封する場合は、係合部２ｄの切断用穴２ｇからニッパなどの切断工具を差し込み、封印ネジ５の先端側切断予定部５ｂを切断する。これにより、係合部２ｄによる封印ネジ５の抜止めが解除され、カバー３の開放方向のスライドが許容される（図１２の（Ｂ）参照）。この状態でカバー３を開放方向にスライドさせると、切断予定部５ｂの切り残し部分が係合部２ｄから抜け、カバー３を開放することが可能になる。
【００２２】
制御基板ケース１の第二回目の封印を行う場合は、まず、切断予定部５ｂの切り残し部分を切断し、その後、前述した手順でカバー３を閉鎖状態とし、ボス部３ｅを係合部２ｄに突当てる。次に、ボス部３ｅのねじ込み口３ｇから工具を差し込んで封印ネジ５をねじ込み操作し、封印ネジ５の先端側ネジ部５ａを係合部２ｄに係合させる。これにより、第二回目の封印が完了する（図１２の（Ｃ）参照）。この状態では、封印ネジ５の頭部がボス部３ｅに付された文字「２」の位置にあり、第二回目の封印であることを容易に確認できる。本実施形態の制御基板ケース１では、上記の手順を繰り返すことにより、一本の封印ネジ５で四回の封印を行うことが可能になる（図１２の（Ｄ）〜（Ｈ）参照）。
【００２３】
叙述の如く構成された本実施形態の制御基板ケース１は、制御基板を収納するベース２と、ベース２に収納された制御基板を覆蓋する開閉自在なカバー３と、カバーの開放を封印し、この封印が開封されたとき、その痕跡を残す封印部４とを備え、封印部４は、カバー３に形成されるボス部３ｅと、ベース２に形成される係合部２ｄと、ボス部３ｅにねじ込まれ、その先端部が係合部２ｄに係合することにより、カバー３の開放を封印する封印ネジ５とを備え、さらに、封印ネジ５は、複数の切断予定部５ｂを介して連結される複数のネジ部５ａを備え、先端ネジ部５ａの切離しにより封印を開封し、残ったネジ部５ａのねじ込みにより再封印を行うように構成されているため、ボス部３ｅや係合部２ｄを複数形成することなく、複数回の封印を行うことが可能になる。これにより、ケース構造を簡略化し、制御基板ケース１のコストダウンを図ることができる。しかも、予備ネジが不要であるため、部品点数の削減が可能になると共に、予備ネジの収納部を不要にしてケース構造をさらに簡略化することができる。
【００２４】
また、封印ネジ５の頭部には、ねじ込み方向への回し操作のみを許容するねじ込み操作溝５ｃが形成されるため、簡単な構成で封印ネジ５の不正な抜き取り操作を防止することができる。
【００２５】
また、ボス部３ｅは、少なくとも内周の一部にネジ溝３ｆを有し、かつ、ねじ込まれた封印ネジ５を透視可能に形成され、さらに、ボス部３ｅの周面又はその近傍には、封印ネジ５の頭部位置と封印回数の関係を示す文字が付されているため、一つのボス部３ｅを目視するだけで、封印回数を簡単に確認することが可能になる。
【００２６】
また、ボス部３ｅのねじ込み口３ｇには、既にねじ込まれた封印ネジ５の回し操作を許容しつつ、新たな封印ネジ５のねじ込みを禁止するねじ込み禁止部材６が設けられるので、既にねじ込まれた封印ネジ５をねじ込み方向に回してボス部３ｅから抜き取った後、別途用意した新たな封印ネジ５をボス部３ｅにねじ込んで封印回数を偽装するという不正行為を防止することができる。
【００２７】
また、係合部２ｄ又はその近傍には、封印ネジ５が先端側で回し操作されることを禁止する先端操作禁止部２ｈが設けられるため、ボス部３ｅにねじ込まれた封印ネジ５を先端側で回し操作し、痕跡を残すことなく封印部４を開封するという不正行為を防止することができる。
【００２８】
また、ボス部３ｅは、制御基板の面方向を向いて形成されるため、封印ネジ５のねじ込み作業、切断予定部５ｂの切断作業、封印回数の確認作業などが容易になるだけでなく、封印部４を制御基板ケース１の厚さ範囲に納めて、制御基板ケース１の大型化を回避することができる。
【図面の簡単な説明】
【００２９】
【図１】制御基板ケースの正面図である。
【図２】制御基板ケースの下面図である。
【図３】ベースの正面図である。
【図４】ベースの下面図である。
【図５】ベースの左側面図である。
【図６】ベースの右側面図である。
【図７】カバーの正面図である。
【図８】カバーの下面図である。
【図９】カバーの左側面図である。
【図１０】カバーの右側面図である。
【図１１】封印ネジの斜視図である。
【図１２】（Ａ）〜（Ｈ）は封印、開封及び再封印の手順を示す説明図である。
【符号の説明】
【００３０】
１    制御基板ケース
２    ベース
２ｄ  係合部
２ｇ  切断用穴
２ｇ  先端操作禁止部
３    カバー
３ｅ  ボス部
３ｇ  ねじ込み口
４    封印部
５    封印ネジ
５ａ  ネジ部
５ｂ  切断予定部
５ｃ  ねじ込み操作溝
５    封印部
６    ねじ込み禁止部材
【図１】
2005218468.tif 000003
【図２】
2005218468.tif 000004
【図３】
2005218468.tif 000005
【図４】
2005218468.tif 000006
【図５】
2005218468.tif 000007
【図６】
2005218468.tif 000008
【図７】
2005218468.tif 000009
【図８】
2005218468.tif 000010
【図９】
2005218468.tif 000011
【図１０】
2005218468.tif 000012
【図１１】
2005218468.tif 000013
【図１２】
2005218468.tif 000014